(57)【要約】【課題】プリント基板の回路を小さなスペースに集約し、周波信号ラインに起因するＥＭＩを低減する。【解決手段】プリント基板６は、積層基板６０および前記積層基板６０における中間層６０ｂに形成された周波信号ライン６５と、筒状磁性体６６とを備える。前記筒状磁性体６６は、前記積層基板６０における前記周波信号ライン６５が形成された層に対し厚み方向の下側の層６０ａおよび上側の層６０ｃにそれぞれ形成された下側部６６ａおよび上側部６６ｂと前記周波信号ライン６５の両側方において前記下側部６６ａおよび前記上側部６６ｂをつなぐ一対の側方部６６ｃとを有する。前記筒状磁性体６６は、前記周波信号ライン６５に沿って前記周波信号ライン６５の周囲を囲む筒状に形成された磁性体である。【選択図】図４
2019009232.tif 000002
【特許請求の範囲】
【請求項１】
シートに画像を形成する印刷処理を実行する画像形成装置または原稿から画像を読み取る画像読取処理を実行する画像読取装置と、
積層基板および前記積層基板における中間層に形成された配線パターンである１つ以上の周波信号ラインを有し、前記周波信号ラインによって前記印刷処理または前記画像読取処理に関する周波信号を伝送するプリント基板と、を備えた画像処理装置であって、
前記プリント基板は、
前記積層基板における前記周波信号ラインが形成された層に対し厚み方向の下側の層および上側の層にそれぞれ形成された下側部および上側部と前記周波信号ラインの両側方において前記下側部および前記上側部をつなぐ一対の側方部とを有し、前記周波信号ラインに沿って前記周波信号ラインの周囲を囲む筒状に形成され、前記積層基板によって前記周波信号ラインと電気的に絶縁された磁性体である筒状磁性体をさらに備える、画像処理装置。
【請求項２】
それぞれ前記画像形成装置に供給される現像剤を収容し、本体の容器装着部に対し取り外し可能に装着される複数の現像剤容器と、
それぞれ前記複数の現像剤容器に取り付けられた複数の電子タグと、
前記複数の電子タグそれぞれから読み出されたデータに応じて前記画像形成装置を制御する制御装置と、をさらに備え、
前記プリント基板は、
複数の前記周波信号ラインと、
複数の前記周波信号ラインと電気的に接続された変復調回路と、
それぞれ複数の前記周波信号ラインを通じて前記変復調回路と電気的に接続され、前記複数の電子タグとの間で無線信号の送信および受信を行う複数のアンテナと、を備え、
前記変復調回路は、前記制御装置からの制御指令に従って、複数の前記周波信号ラインを通じて前記複数のアンテナへ送信周波信号を出力し、前記複数のアンテナおよび複数の前記周波信号ラインを通じて受信周波信号を入力することにより、前記電子タグからデータを読み出し、読み出したデータを前記制御装置へ伝送し、
前記筒状磁性体が、複数の前記周波信号ラインにおける並列に形成された部分を一括して囲む、請求項１に記載の画像処理装置。
【請求項３】
前記画像読取装置を制御する制御装置をさらに備え、
前記プリント基板は、
前記画像読取装置を含む機器と電気的に接続された複数の前記周波信号ラインと、
複数の前記周波信号ラインを通じて前記画像読取装置を含む機器と電気的に接続され、前記制御装置からの制御指令に従って、複数の前記周波信号ラインを通じて、前記画像読取装置を含む機器に対して前記画像読取処理のタイミングを制御する前記周波信号を出力するタイミング制御回路と、を備え、
前記筒状磁性体は、複数の前記周波信号ラインにおける並列に形成された部分を一括して囲む、請求項１に記載の画像処理装置。
【請求項４】
複数の前記周波信号ラインが、前記積層基板における複数の前記中間層に形成されており、
前記筒状磁性体は、複数の前記周波信号ラインにおける複数の前記中間層において並列に形成された部分を一括して囲む、請求項２または請求項３に記載の画像処理装置。
【発明の詳細な説明】
【技術分野】
【０００１】
本発明は、プリント基板の周波信号ラインに起因するＥＭＩを低減する画像処理装置に関する。
【背景技術】
【０００２】
一般に、画像形成装置および画像読取装置の一方または両方を備える画像処理装置は、周波信号を伝送する周波信号ラインを有するプリント基板を備える。
【０００３】
例えば、前記プリント基板が、前記周波信号ラインと電気的に接続された変復調回路と、前記周波信号ラインを通じて前記変復調回路と電気的に接続されたアンテナとを備える場合がある。この場合、前記アンテナは、トナー容器に取り付けられた電子タグとの間で無線信号の送信および受信を行う。前記トナー容器は、前記画像形成装置に供給されるトナーを収容する。
【０００４】
また、前記プリント基板が、前記周波信号ラインと電気的に接続されたタイミング制御回路を備える場合もある。この場合、前記タイミング制御回路は、制御装置からの制御指令に従って、前記周波信号ラインを通じて前記画像読取装置に対して画像読取処理のタイミングを制御する前記周波信号を出力する。
【０００５】
従って、前記画像処理装置において、前記プリント基板の前記周波信号ラインに起因するＥＭＩ（Electro-Magnetic Interference）を低減することが求められる。
【０００６】
また、前記プリント基板において、信号伝送配線と電気的に絶縁された補助配線が、その上下の電磁遮蔽層によって挟まれることが知られている（例えば、特許文献１参照）。
【先行技術文献】
【特許文献】
【０００７】
【特許文献１】特開２００４−５６１４４号公報
【発明の概要】
【発明が解決しようとする課題】
【０００８】
ところで、前記画像形成装置において、前記プリント基板の回路を小さなスペースに集約できるとともに、前記周波信号ラインに起因するＥＭＩを低減できることが望まれている。
【０００９】
本発明の目的は、プリント基板の回路を小さなスペースに集約できるとともに、周波信号ラインに起因するＥＭＩを低減できる画像処理装置を提供することにある。
【課題を解決するための手段】
【００１０】
本発明の一の局面に係る画像処理装置は、画像形成装置または画像読取装置と、プリント基板と、を備える。前記画像形成装置は、シートに画像を形成する印刷処理を実行する。前記画像読取装置は、原稿から画像を読み取る画像読取処理を実行する。前記プリント基板は、積層基板および前記積層基板における中間層に形成された配線パターンである１つ以上の周波信号ラインを有する。前記プリント基板は、前記周波信号ラインによって前記印刷処理または前記画像読取処理に関する周波信号を伝送する。前記プリント基板は、筒状磁性体をさらに備える。前記筒状磁性体は、前記積層基板における前記周波信号ラインが形成された層に対し厚み方向の下側の層および上側の層にそれぞれ形成された下側部および上側部と前記周波信号ラインの両側方において前記下側部および前記上側部をつなぐ一対の側方部とを有する。前記筒状磁性体は、前記周波信号ラインに沿って前記周波信号ラインの周囲を囲む筒状に形成され、前記積層基板によって前記周波信号ラインと電気的に絶縁された磁性体である。
【発明の効果】
【００１１】
本発明によれば、プリント基板の回路を小さなスペースに集約できるとともに、周波信号ラインに起因するＥＭＩを低減できる画像処理装置を提供することが可能になる。
【図面の簡単な説明】
【００１２】
【図１】図１は、実施形態に係る画像処理装置の構成図である。
【図２】図２は、実施形態に係る画像処理装置におけるアンテナ基板の構成図である。
【図３】図３は、実施形態に係る画像処理装置におけるアンテナ基板の縦断面図である。
【図４】図４は、実施形態に係る画像処理装置におけるアンテナ基板の横断面図である。
【図５】図５は、実施形態に係る画像処理装置における制御基板の横断面図である。
【図６】図６は、応用例に係るアンテナ基板の横断面図である。
【発明を実施するための形態】
【００１３】
以下、添付図面を参照しながら、本発明の実施形態について説明する。なお、以下の実施形態は、本発明を具体化した一例であって、本発明の技術的範囲を限定する性格を有さない。
【００１４】
［画像処理装置１０の構成］
実施形態に係る画像処理装置１０は、シートに画像を形成する印刷処理または原稿から画像を読み取る画像読取処理などの画像処理を実行する装置である。前記シートは、紙または樹脂フィルムなどのシート状の画像形成媒体である。
【００１５】
本実施形態において、画像処理装置１０は、前記印刷処理を実行する画像形成装置１０Ａおよび前記画像読取処理を実行する画像読取装置１０Ｂを備える。
【００１６】
さらに、画像処理装置１０は、画像形成装置１０Ａおよび画像読取装置１０Ｂを制御するＣＰＵ（Central Processing Unit）８１を含む制御基板８を備える。制御基板８は、基板８０と、基板８０に実装されたＣＰＵ８１とを備える。
【００１７】
なお、ＣＰＵ８１は制御装置の一例である。前記制御装置が、ＣＰＵ８１の代わりに、ＤＳＰ（Digital Signal Processor）などの他のプロセッサーまたはＡＳＩＣ（Application Specific Integrated Circuit）などの回路によって実現されることも考えられる。
【００１８】
［画像形成装置１０Ａの構成］
図１に示されるように、画像形成装置１０Ａは、本体１内にシート供給機構２、シート搬送機構３、および画像形成部４０などを備える。
【００１９】
本実施形態において、画像形成部４０は、電子写真方式の前記印刷処理を実行する装置である。従って、画像形成部４０は、作像装置４、レーザー走査ユニット４６、転写装置４４および定着装置４７を含む。作像装置４は、ドラム状の感光体４１、帯電装置４２、現像装置４３および感光体クリーニング装置４５などを備える。
【００２０】
図１に示される画像形成装置１０Ａは、タンデム式の画像形成部４０を有するカラー画像形成装置である。そのため、画像形成装置１０Ａは、シアン、マゼンタ、イエローおよびブラックの各色に対応した４つの作像装置４を備える。
【００２１】
さらに、転写装置４４が、中間転写ベルト４４ａと、４つの作像装置４に対応する４つの一次転写装置４４ｂと、二次転写装置４４ｃと、ベルトクリーニング装置４４ｄとを備える。
【００２２】
シート供給機構２は、前記シートを本体１内のシート搬送路３０へ送り出す。シート搬送機構３は、前記シートをシート搬送路３０に沿って搬送する。
【００２３】
帯電装置４２は、感光体４１の表面を一様に帯電させる。レーザー走査ユニット４６は、レーザー光を走査することによって感光体４１の表面に静電潜像を書き込む。
【００２４】
現像装置４３は、感光体４１の表面の前記静電潜像を粉状の現像剤９によって現像する。これにより、現像剤９の像が感光体４１の表面に形成される。なお、本実施形態における現像剤９はトナーである。
【００２５】
一次転写装置４４ｂは、感光体４１の表面の現像剤９の像を中間転写ベルト４４ａに転写する。これにより、４色の現像剤９の像がカラー画像として中間転写ベルト４４ａに形成される。感光体クリーニング装置４５は、感光体４１表面に残存する現像剤９を除去する。
【００２６】
二次転写装置４４ｃは、中間転写ベルト４４ａ上の現像剤９の像を、シート搬送路３０に沿って搬送されている前記シートに転写する。定着装置４７は、前記シートに転写された現像剤９の像を加熱することにより、前記シートに現像剤９の像を定着させる。ベルトクリーニング装置４４ｄは、中間転写ベルト４４ａに残存する現像剤９を除去する。
【００２７】
さらに、画像処理装置１０は、それぞれ異なる色の現像剤９を収容する４つの現像剤容器５を備える。４つの現像剤容器５は、本体１に設けられた４つの容器装着部１ａに対して取り外し可能に装着されている。４つの現像剤容器５は、それぞれ４つの現像装置４３へ供給される現像剤９を収容する。
【００２８】
［画像読取装置１０Ｂの構成］
画像読取装置１０Ｂは、光源１１、イメージセンサー１２、導光機器１３、光源走査装置１４、原稿台１５および自動原稿搬送装置１６などを備える。
【００２９】
光源１１は、前記原稿に光を照射する。導光機器１３は、前記原稿での反射光をイメージセンサー１２へ導く。イメージセンサー１２は、前記反射光の光量を検出し、その光量の検出信号を画像信号として出力する。
【００３０】
光源走査装置１４は、光源１１を予め定められた副走査方向に沿って移動させることにより、原稿台１５に載置された前記原稿に光源１１の光を走査させる。これにより、イメージセンサー１２が、原稿台１５に載置された前記原稿からの読取画像に相当する前記画像信号を出力する。
【００３１】
自動原稿搬送装置１６は、原稿トレイ１５１および複数の原稿搬送ローラー１６２を備える。複数の原稿搬送ローラー１６２は、原稿トレイ１５１に載置された前記原稿を原稿搬送路１６０に沿って搬送する。
【００３２】
自動原稿搬送装置１６が動作する場合、光源走査装置１４は、光源１１を予め定められた位置で保持し、光源１１は、原稿搬送路１６０に沿って移動中の前記原稿に光を照射する。これにより、イメージセンサー１２が、自動原稿搬送装置１６によって搬送される前記原稿からの読取画像に相当する前記画像信号を出力する。
【００３３】
なお、光源走査装置１４は、自動原稿搬送装置１６が動作しない場合、即ち、前記原稿が原稿トレイ１５１に載置されていない場合に動作する。
【００３４】
制御基板８は、それぞれ基板８０に形成されたタイミング制御回路８２と、アナログフロントエンド回路８３と、画像処理回路８４とをさらに備える。
【００３５】
タイミング制御回路８２は、ＣＰＵ８１からの制御指令に従って、画像読取装置１０Ｂのイメージセンサー１２を含む複数の機器に対して前記画像読取処理のタイミングを制御するタイミング信号を出力する。タイミング制御回路８２は、後述するタイミング信号ライン８５を通じて、イメージセンサー１２を含む複数の機器に対して前記タイミング信号を出力する。前記タイミング信号は、周波信号の一例である。前記周波信号は、予め定められた一定の周波数で変化する信号または周波数変調が施された信号である。
【００３６】
例えば、前記タイミング信号は、イメージセンサー１２へ出力されるライン同期信号、アナログフロントエンド回路８３へ出力されるサンプリングタイミング信号、および画像処理回路８４へ出力される画素クロック信号などを含む。
【００３７】
イメージセンサー１２は、前記ライン同期信号に同期して、前記原稿から１ライン部の画像を読み取る。アナログフロントエンド回路８３は、前記サンプリングタイミング信号に同期して、イメージセンサー１２から出力される前記画像信号を複数の画素データからなるデジタルの画像データへ変換する。
【００３８】
画像処理回路８４は、前記画素クロック信号に同期して、アナログフロントエンド回路８３から前記複数の画素データを取得し、それら複数の画素データに対する各種の画像演算処理を実行する。
【００３９】
さらに、制御基板８は、基板８０に形成された配線パターンである複数のタイミング信号ライン８５を含む。複数のタイミング信号ライン８５は、それぞれタイミング制御回路８２と、イメージセンサー１２、アナログフロントエンド回路８３および画像処理回路８４とを電気的に接続する。制御基板８は、複数のタイミング信号ライン８５によって前記タイミング信号を伝送する。
【００４０】
なお、複数のタイミング信号ライン８５は、それぞれ周波信号ラインの一例である。前記周波信号ラインは、前記周波信号を伝送する配線パターンである。例えば、複数のタイミング信号ライン８５は銅箔などの金属箔である。
【００４１】
［電子タグ５ａおよびアンテナ基板６］
画像形成装置１０Ａにおいて、現像剤容器５各々には、電子タグ５ａが取り付けられている。電子タグ５ａは、例えばパッシブ型の電子タグである。例えば、電子タグ５ａが、パッシブ型のＲＦ（Radio Frequency）タグであることが考えられる。
【００４２】
電子タグ５ａは、コンピュータ読み取り可能な不揮発性のデータ記憶装置を備える。そのデータ記憶装置は、現像剤容器５内の現像剤９の色および種類など、現像剤９に関する情報である現像剤データを予め記憶している。
【００４３】
さらに、画像処理装置１０は、４つの容器装着部１ａに対応する４つのアンテナ６１を含むアンテナ基板６を備える。アンテナ基板６は、基板６０と、基板６０に形成された４つのアンテナ６１とを含む。
【００４４】
例えば、図２に示されるように、４つのアンテナ６１が、それぞれ基板６０にプリントされたプリントアンテナであることが考えられる。前記プリントアンテナは、基板６０にコイル状にプリントされた金属箔の配線パターンである。
【００４５】
４つのアンテナ６１は、それぞれ４つの容器装着部１ａに装着された現像剤容器５の電子タグ５ａとの間で近距離無線通信用の無線信号を送信または受信する。前記近距離無線通信は、例えば１３．５６ＭＨｚの短波帯の電波を用いて１００ｃｍ未満の範囲内で行われる無線通信である。
【００４６】
図２に示されるように、アンテナ基板６は、それぞれ基板６０に実装された変復調回路６２、ＭＰＵ（Micro Processing Unit）６３および通信回路６４などを備える。アンテナ基板６において、変復調回路６２と４つのアンテナ６１それぞれとは、基板６０に形成された４本のアンテナ信号ライン６５によって電気的に接続されている。
【００４７】
４本のアンテナ信号ライン６５は、基板６０に形成された配線パターンである。例えば、４本のアンテナ信号ライン６５は銅箔などの金属箔である。なお、４本のアンテナ信号ライン６５は、それぞれ周波信号ラインの一例である。
【００４８】
変復調回路６２は、制御基板８のＣＰＵ８１からの制御指令に従って、４本のアンテナ信号ライン６５を通じて４つのアンテナ６１へ送信周波信号を出力する。さらに、変復調回路６２は、４つのアンテナ６１および４本のアンテナ信号ライン６５を通じて受信周波信号を入力することにより、電子タグ５ａからデータを読み出す。なお、前記送信波信号および前記受信波信号は、前記周波信号の一例である。
【００４９】
変復調回路６２は、前記受信周波信号に復調処理を施し、復調後の信号が示すデータを、電子タグ５ａから読み出したデータとして取得する。さらに、変復調回路６２は、電子タグ５ａから読み出したデータをＭＰＵ６３および通信回路６４を通じて制御基板８のＣＰＵ８１へ伝送する。
【００５０】
ＭＰＵ６３は、ＣＰＵ８１から出力される制御指令を、通信回路６４を通じて取得し、取得した前記制御指令に従って、変復調回路６２を制御する。例えば、ＭＰＵ６３は、ＣＰＵ８１からリードコマンドを取得した場合、変復調回路６２に前記リードコマンドを表す前記送信周波信号を出力させる。さらに、ＭＰＵ６３は、電子タグ５ａから読み出したデータを、通信回路６４を通じてＣＰＵ８１へ送信する。
【００５１】
また、ＭＰＵ６３は、ＣＰＵ８１から出力されるライトコマンドおよびライトデータを取得した場合、変復調回路６２に前記ライトコマンドおよび前記ライトデータを表す前記送信周波信号を出力させる。これにより、前記ライトデータが、電子タグ５ａの前記データ記憶装置に書き込まれる。
【００５２】
通信回路６４は、ＭＰＵ６３とＣＰＵ８１との間でのデータの送信および受信を制御する。ＣＰＵ８１は、変復調回路６２を通じて４つの電子タグ５ａそれぞれから読み出されたデータに応じて画像形成装置１０Ａを制御する。例えば、ＣＰＵ８１は、読み出されたデータが予め定められたトナーの色または機種を表すデータではない場合に、画像形成装置１０Ａによる前記印刷処理を禁止する。
【００５３】
以上に示されるように、アンテナ基板６は、電子タグ５ａからのデータの読み出し、および、電子タグ５ａへのデータの書き込みを行う、いわゆるタグリーダー・ライターである。
【００５４】
ところで、アンテナ基板６または制御基板８などのプリント基板において、回路を小さなスペースに集約できるとともに、アンテナ信号ライン６５またはタイミング信号ライン８５などの前記周波信号ラインに起因するＥＭＩを低減できることが望まれている。
【００５５】
画像処理装置１０において、アンテナ基板６および制御基板８は、基板６０，８０に形成される回路を小さなスペースに集約できるとともに、前記周波信号ラインに起因するＥＭＩを低減できる構造を備える。
【００５６】
［アンテナ基板６］
図３は、図２に示されるアンテナ基板６におけるＡ−Ａ位置での断面を示し、図４は、図２に示されるアンテナ基板６におけるＢ−Ｂ位置での断面を示す。
【００５７】
図３，４に示されるように、アンテナ基板６の基板６０は、複数のベース層６０ａ，６０ｂ，６０ｃが積層された積層基板である。図３に示される例では、基板６０は、３つのベース層６０ａ，６０ｂ，６０ｃと、裏面レジスト６０ｘと、表面レジスト６０ｙとが積層された構造を有している。
【００５８】
そして、４本のアンテナ信号ライン６５は、基板６０における中間層６０ｂにプリントされた配線パターンである。
【００５９】
アンテナ基板６は、アンテナ信号ライン６５に沿ってアンテナ信号ライン６５の周囲を囲む筒状に形成された筒状磁性体６６を備える。筒状磁性体６６は、下側部６６ａおよび上側部６６ｂと、一対の側方部６６ｃとを有する。
【００６０】
下側部６６ａは、基板６０におけるアンテナ信号ライン６５が形成された中間層６０ｂに対し下側のベース層６０ａの上面に形成された部分である。上側部６６ｂは、基板６０におけるアンテナ信号ライン６５が形成された中間層６０ｂに対し厚み方向の上側のベース層６０ｃの上面に形成された部分である。
【００６１】
一対の側方部６６ｃは、アンテナ信号ライン６５の両側方において下側部６６ａおよび上側部６６ｂをつなぐ部分である。一対の側方部６６ｃは、中間層６０ｂおよびその上側のベース層６０ｃに対するエッチング処理によって形成される。
【００６２】
筒状磁性体６６は、基板６０の中間層６０ｂおよびその上側のベース層６０ｃによってアンテナ信号ライン６５と電気的に絶縁された磁性体である。例えば、筒状磁性体６６の材料がフェライトであることが考えられる。また、筒状磁性体６６の材料が、酸化鉄または酸化クロムなどであることも考えられる。
【００６３】
図４に示される例では、１つの筒状磁性体６６が、２本のアンテナ信号ライン６５における並列に形成された部分を一括して囲む。例えば、１つの筒状磁性体６６によって囲まれる２本のアンテナ信号ライン６５が、同じ中間層６０ｂに形成されていることが考えられる（図４参照）。
【００６４】
［制御基板８］
図５に示されるように、制御基板８の基板８０も、複数のベース層８０ａ，８０ｂ，８０ｃが積層された積層基板である。図５に示される例では、基板８０は、３つのベース層８０ａ，８０ｂ，８０ｃと、裏面レジスト８０ｘと、表面レジスト８０ｙとが積層された構造を有している。
【００６５】
そして、３本のタイミング信号ライン８５は、基板８０における中間層８０ｂにプリントされた配線パターンである。
【００６６】
制御基板８も、アンテナ基板６と同様に、タイミング信号ライン８５に沿ってタイミング信号ライン８５の周囲を囲む筒状に形成された筒状磁性体８６を備える。筒状磁性体８６も、下側部８６ａおよび上側部８６ｂと、一対の側方部８６ｃとを有する。
【００６７】
下側部８６ａは、基板８０におけるタイミング信号ライン８５が形成された中間層８０ｂに対し下側のベース層８０ａの上面に形成された部分である。上側部８６ｂは、基板８０におけるタイミング信号ライン８５が形成された中間層８０ｂに対し上側のベース層８０ｃの上面に形成された部分である。
【００６８】
一対の側方部８６ｃは、タイミング信号ライン８５の両側方において下側部８６ａおよび上側部８６ｂをつなぐ部分である。
【００６９】
筒状磁性体８６は、基板８０の中間層８０ｂおよびその上側のベース層８０ｃによってタイミング信号ライン８５と電気的に絶縁された磁性体である。筒状磁性体８６の材料は、筒状磁性体６６の材料と同じである。
【００７０】
図５に示される例では、１つの筒状磁性体８６が、３本のタイミング信号ライン８５における並列に形成された部分を一括して囲む。例えば、１つの筒状磁性体８６によって囲まれる３本のアンテナ信号ライン６５が、同じ中間層６０ｂに形成されていることが考えられる（図５参照）。
【００７１】
筒状磁性体６６，８６は、それぞれアンテナ基板６および制御基板８において、電磁シールド部材として機能する。筒状磁性体６６，８６は、それぞれアンテナ信号ライン６５およびタイミング信号ライン８５における全周のいずれの方向へも電磁波を漏らさない。
【００７２】
また、アンテナ基板６および制御基板８において、筒状磁性体６６，８６は、それぞれアンテナ信号ライン６５およびタイミング信号ライン８５に近接する位置にコンパクトに形成することができる。
【００７３】
さらに、筒状磁性体６６，８６が、それぞれ複数のアンテナ信号ライン６５および複数のタイミング信号ライン８５における並列に形成された部分を一括して囲む。これにより、複数のアンテナ信号ライン６５の間隔および複数のタイミング信号ライン８５の間隔を狭めることができ、アンテナ基板６および制御基板８の回路をよりコンパクトに集約することができる。
【００７４】
従って、画像処理装置１０が採用されれば、アンテナ基板６および制御基板８の回路を小さなスペースに集約できるとともに、複数のアンテナ信号ライン６５および複数のタイミング信号ライン８５に起因するＥＭＩを低減することができる。
【００７５】
[応用例]
以下、応用例に係るアンテナ基板６Ａにおけるアンテナ基板６と異なる点について説明する。図６において、図３，４に示される構成要素と同じ構成要素については同じ参照符号が付されている。
【００７６】
図６に示される応用例に係るアンテナ基板６Ａの基板６０Ａは、４つのベース層６０ｄ，６０ｅ，６０ｆ，６０ｇと、裏面レジスト６０ｘと、表面レジスト６０ｙとが積層された構造を有する積層基板である。従って、基板６０は、２つの中間層６０ｅ，６０ｆを有する。
【００７７】
アンテナ基板６Ａにおいて、２つのアンテナ信号ライン６５が、基板６０Ａにおける２つの中間層６０ｅ，６０ｆに、上下方向に並んで形成されている。なお、前記上下方向は、基板６０Ａの厚み方向である。
【００７８】
本応用例において、筒状磁性体６６は、２つのアンテナ信号ライン６５における２つの中間層６０ｅ，６０ｆにおいて厚み方向に並列に形成された部分を一括して囲む。従って、本応用例における筒状磁性体６６の一対の側方部６６ｃは、２つの中間層６０ｅ，６０ｆおよびその上側のベース層６０ｇに対するエッチング処理によって形成される。
【００７９】
本応用例が採用された場合、前記実施形態が採用される場合と同様の効果が得られる。さらに、本応用例が採用されれば、アンテナ基板６Ａの回路を、より小さなスペースに集約することができる。
【符号の説明】
【００８０】
１      ：本体
１ａ    ：容器装着部
２      ：シート供給機構
３      ：シート搬送機構
４      ：作像装置
５      ：現像剤容器
５ａ    ：電子タグ
６，６Ａ：アンテナ基板
８      ：制御基板
９      ：現像剤
１０    ：画像処理装置
１０Ａ  ：画像形成装置
１０Ｂ  ：画像読取装置
１１    ：光源
１２    ：イメージセンサー
１３    ：導光機器
１４    ：光源走査装置
１５    ：原稿台
１６    ：自動原稿搬送装置
３０    ：シート搬送路
４０    ：画像形成部
４１    ：感光体
４２    ：帯電装置
４３    ：現像装置
４４    ：転写装置
４４ａ  ：中間転写ベルト
４４ｂ  ：一次転写装置
４４ｃ  ：二次転写装置
４４ｄ  ：ベルトクリーニング装置
４５    ：感光体クリーニング装置
４６    ：レーザー走査ユニット
４７    ：定着装置
６０，６０Ａ：基板（積層基板）
６０ａ  ：ベース層（下側の層）
６０ｂ  ：ベース層（中間層）
６０ｃ  ：ベース層（上側の層）
６０ｄ  ：ベース層（下側の層）
６０ｅ  ：ベース層（中間層）
６０ｆ  ：ベース層（中間層）
６０ｇ  ：ベース層（上側の層）
６０ｘ  ：裏面レジスト
６０ｙ  ：表面レジスト
６１    ：アンテナ
６２    ：変復調回路
６３    ：ＭＰＵ
６４    ：通信回路
６５    ：アンテナ信号ライン
６６    ：筒状磁性体
６６ａ  ：下側部
６６ｂ  ：上側部
６６ｃ  ：側方部
８０    ：基板
８０ａ  ：ベース層（下側の層）
８０ｂ  ：ベース層（中間層）
８０ｃ  ：ベース層（上側の層）
８０ｘ  ：裏面レジスト
８０ｙ  ：表面レジスト
８１    ：ＣＰＵ
８２    ：タイミング制御回路
８３    ：アナログフロントエンド回路
８４    ：画像処理回路
８５    ：タイミング信号ライン
８６    ：筒状磁性体
８６ａ  ：下側部
８６ｂ  ：上側部
８６ｃ  ：側方部
１５１  ：原稿トレイ
１６０  ：原稿搬送路
１６２  ：原稿搬送ローラー
【図１】
2019009232.tif 000003
【図２】
2019009232.tif 000004
【図３】
2019009232.tif 000005
【図４】
2019009232.tif 000006
【図５】
2019009232.tif 000007
【図６】
2019009232.tif 000008